(57)【要約】【課題】ユーザの利便性を向上させることができる携帯端末装置およびプログラムを提供する。【解決手段】情報処理装置における情報処理にかかる設定項目を要求する設定項目要求に応じて、情報処理装置から設定項目を近距離通信手段にて受信し、受信した設定項目の値を選択可能に表示する設定画面Ｘ１を表示する。これにより、無線通信接続された情報処理装置で利用可能な設定項目の提示・設定を携帯端末装置で行うことができるので、ユーザの利便性を向上させることができる、という効果を奏する。【選択図】図７
2010098717.tif 000002
【特許請求の範囲】
【請求項１】
情報処理を実行する情報処理装置に対して近接させることにより短距離通信手段にて無線接続を確立して当該短距離通信手段よりも長距離での無線通信が可能な近距離通信手段のための通信設定情報を受け取った後、当該通信設定情報を使用して前記近距離通信手段にて無線接続を確立する携帯端末装置において、
前記情報処理装置における情報処理にかかる設定項目を要求する設定項目要求に応じて前記情報処理装置から前記設定項目を前記近距離通信手段にて受信する設定項目取得手段と、
前記設定項目取得手段により受信した前記設定項目の値を選択可能に表示する設定画面を表示する設定画面表示手段と、
を備えることを特徴とする携帯端末装置。
【請求項２】
前記設定画面には、前記情報処理装置で設定可能な設定項目と、当該装置で選択可能な設定項目との同期を図る旨を宣言する操作を受け付ける同期宣言手段が設けられており、
前記同期宣言手段を介して同期を図る旨の宣言がなされた場合、前記情報処理装置に対して当該装置を近接させる旨のメッセージを表示させるメッセージ表示手段を備える、
ことを特徴とする請求項１記載の携帯端末装置。
【請求項３】
前記情報処理装置における情報処理の対象となるデータおよび前記設定画面で選択された値を有する処理要求を前記情報処理装置に対して送信する処理要求送信手段を備える、
ことを特徴とする請求項１記載の携帯端末装置。
【請求項４】
前記処理要求送信手段により送信した前記処理要求に応じた前記情報処理装置における情報処理の状態情報を前記近距離通信手段にて受信する状態情報取得手段と、
前記状態情報取得手段により受信した前記状態情報を表示する状態情報表示手段と、
を備えることを特徴とする請求項３記載の携帯端末装置。
【請求項５】
前記設定画面で選択された値を履歴情報として記憶する履歴情報記憶手段を更に備え、
前記設定画面表示手段は、前記履歴情報記憶手段に記憶されている前記履歴情報を前記設定画面に表示する、
ことを特徴とする請求項１記載の携帯端末装置。
【請求項６】
前記履歴情報記憶手段は前記履歴情報とともに記憶され、当該履歴情報を識別する識別情報を取得する識別情報取得手段を備え、
前記処理要求送信手段は、前記識別情報取得手段が取得した前記識別情報に応じた前記履歴情報を前記設定画面で選択された値とした処理要求を、前記情報処理装置に対して送信する、
ことを特徴とする請求項３記載の携帯端末装置。
【請求項７】
前記識別情報取得手段が取得する前記識別情報は、前記情報処理装置の機種情報である、
ことを特徴とする請求項６記載の携帯端末装置。
【請求項８】
前記識別情報取得手段が取得する前記識別情報は、当該装置の位置情報である、
ことを特徴とする請求項６記載の携帯端末装置。
【請求項９】
情報処理を実行する情報処理装置に対して近接させることにより短距離通信手段にて無線接続を確立して当該短距離通信手段よりも長距離での無線通信が可能な近距離通信手段のための通信設定情報を受け取った後、当該通信設定情報を使用して前記近距離通信手段にて無線接続を確立する処理を実行するコンピュータを、
前記情報処理装置における情報処理にかかる設定項目を要求する設定項目要求に応じて前記情報処理装置から前記設定項目を前記近距離通信手段にて受信する設定項目取得手段と、
前記設定項目取得手段により受信した前記設定項目の値を選択可能に表示する設定画面を表示する設定画面表示手段と、
として機能させるためのプログラム。
【発明の詳細な説明】
【技術分野】
【０００１】
本発明は、携帯電話、ノートＰＣ（Personal  Computer）、ＰＤＡなどのように小型の計算機に無線通信機能を有する携帯端末装置およびプログラムに関する。
【背景技術】
【０００２】
近年、印刷装置のようなオフィス機器においては、複数のオフィス機器がネットワークに接続され、これと同じくネットワークに接続されたＰＣ（Personal  Computer）等のクライアント端末から所望の印刷装置を指定して文書等を印刷することができる。
【０００３】
そして、このような事情は、コピー機能、ファクシミリ（ＦＡＸ）機能、印刷機能、スキャナ機能等を一つの筐体に納めたいわゆるＭＦＰ（Multi  Function  Peripheral）と称される複合機についても同様であり、複合機の場合、ステープルの有無、パンチの有無をはじめとして、様々な設定情報をも指定して印刷することができる。
【０００４】
例えば、特許文献１では、非接触型のＩＣ（Integrated  Circuit）タグを利用することによって、仲介端末を接続させたい機器に近接させて、ユーザが直感的に文書等を印刷できる機器の接続を確立することができる。
【発明の概要】
【発明が解決しようとする課題】
【０００５】
しかしながら、特許文献１に記載された技術では、仲介端末は接続設定情報のみを近接した機器に送信するので、例えばユーザが印刷したい機能情報（例えば、カラー・モノクロの種類、両面印刷の可否、印刷可能な用紙サイズ等）を指定することはできなかった。
【０００６】
本発明は、上記に鑑みてなされたものであって、ユーザの利便性を向上させることができる携帯端末装置およびプログラムを提供することを目的とする。
【課題を解決するための手段】
【０００７】
本発明の携帯端末装置は、情報処理を実行する情報処理装置に対して近接させることにより短距離通信手段にて無線接続を確立して当該短距離通信手段よりも長距離での無線通信が可能な近距離通信手段のための通信設定情報を受け取った後、当該通信設定情報を使用して前記近距離通信手段にて無線接続を確立する携帯端末装置において、前記情報処理装置における情報処理にかかる設定項目を要求する設定項目要求に応じて前記情報処理装置から前記設定項目を前記近距離通信手段にて受信する設定項目取得手段と、前記設定項目取得手段により受信した前記設定項目の値を選択可能に表示する設定画面を表示する設定画面表示手段と、を備える。
【０００８】
本発明のプログラムは、情報処理を実行する情報処理装置に対して近接させることにより短距離通信手段にて無線接続を確立して当該短距離通信手段よりも長距離での無線通信が可能な近距離通信手段のための通信設定情報を受け取った後、当該通信設定情報を使用して前記近距離通信手段にて無線接続を確立する処理を実行するコンピュータを、前記情報処理装置における情報処理にかかる設定項目を要求する設定項目要求に応じて前記情報処理装置から前記設定項目を前記近距離通信手段にて受信する設定項目取得手段と、前記設定項目取得手段により受信した前記設定項目の値を選択可能に表示する設定画面を表示する設定画面表示手段と、として機能させる。
【発明の効果】
【０００９】
本発明によれば、情報処理装置における情報処理にかかる設定項目を要求する設定項目要求に応じて、情報処理装置から設定項目を近距離通信手段にて受信し、受信した設定項目の値を選択可能に表示する設定画面を表示することにより、無線通信接続された情報処理装置で利用可能な設定項目の提示・設定を携帯端末装置で行うことができるので、ユーザの利便性を向上させることができる、という効果を奏する。
【図面の簡単な説明】
【００１０】
【図１】図１は、本発明の第１の実施の形態にかかる情報処理システムの構成を示す模式図である。
【図２】図２は、複合機のハードウェア構成を示す説明図である。
【図３】図３は、情報処理システムの構成を示すブロック図である。
【図４】図４は、認証データ記憶部のデータ構成の一例を示す説明図である。
【図５】図５は、設定情報記憶部のデータ構成の一例を示す説明図である。
【図６】図６は、印刷開始の制御データの一例を示す模式図である。
【図７】図７は、操作表示部で表示される表示画面の一例を示す説明図である。
【図８】図８は、印刷設定項目を取得する処理の流れを示すフローチャートである。
【図９】図９は、ガイド画面の一例を示す模式図である。
【図１０】図１０は、印刷設定画面の一例を示す模式図である。
【図１１】図１１は、印刷要求処理の流れを示すフローチャートである。
【図１２】図１２は、印刷ファイル選択画面の一例を示す模式図である。
【図１３】図１３は、印刷中画面の一例を示す模式図である。
【図１４】図１４は、印刷エラー画面の一例を示す模式図である。
【図１５】図１５は、本発明の第２の実施の形態にかかる情報処理システムの構成を示すブロック図である。
【図１６】図１６は、データ記憶部のデータ構成の一例を示す説明図である。
【図１７】図１７は、機種情報に従って履歴を取得するための処理の流れを示すフローチャートである。
【図１８】図１８は、データ記憶部のデータ構成の一例を示す説明図である。
【図１９】図１９は、データ記憶部のデータ構成の一例を示す説明図である。
【図２０】図２０は、本発明の第３の実施の形態にかかる情報処理システムにおける処理の流れを示すフローチャートである。
【図２１】図２１は、機能設定情報の一例を示す説明図である。
【図２２】図２２は、本発明の第４の実施の形態にかかる情報処理システムの構成を示すブロック図である。
【図２３】図２３は、情報処理システムにおける処理の流れを示すフローチャートである。
【発明を実施するための形態】
【００１１】
以下に添付図面を参照して、この発明にかかる携帯端末装置およびプログラムの最良な実施の形態を詳細に説明する。
【００１２】
［第１の実施の形態］
第１の実施の形態について、添付図面を参照して説明する。本実施の形態は、情報処理装置の一例として、コピー機能、ファクシミリ（ＦＡＸ）機能、プリント機能、スキャナ機能および入力画像データ（スキャナ機能により読取られた画像データや、プリント機能により形成された画像データ、ＦＡＸ機能により受信した画像データ）を配信する機能等を備えたいわゆる複合機（ＭＦＰ：MultiFunction  Peripheral）に適用する。尚、以下では、情報処理装置の一例として複合機に適用して説明しているが、印刷機能のみを備える印刷装置、スキャナ機能のみを備えるスキャナ装置のほか、これらの機能を備える画像形成装置等の情報処理装置であれば適用可能であり、上述した複合機に限られるものではない。
【００１３】
まず、本発明が適用される複合機および携帯端末装置を含む情報処理システムの構成例について説明する。図１は、本発明の第１の実施の形態にかかる情報処理システムの構成を示す模式図である。本実施の形態にかかる情報処理システム１０は、複合機１００と、携帯端末装置２００とを備える。携帯端末装置２００は、携帯電話、ノートＰＣ、ＰＤＡなどのように小型の計算機に無線通信機能を有したものである。複合機１００は、よく知られているように、印刷用のデータを処理し、媒体（例えば紙）に出力する機能を有する装置である。
【００１４】
複合機１００は、データ処理に用いる様々な設定能力を有し、例えば、両面可否（媒体の片面に印刷するか、両面に印刷するか）、集約可否（生成した１ページ分の画像をそのまま媒体に転写するか、例えば２ページ分の画像を縮小加工し、２ページ分を１ページとして媒体に転写するか）、カラー印刷可否（カラー印刷か、白黒印刷か）、フィニッシャ可否（ステープル、パンチ穴などの仕上げ処理が可能であるか否か）などの設定を行うことができる。
【００１５】
複合機１００と携帯端末装置２００とは、後述するように２つの通信手段によって、破線で示す通信範囲１及び２点鎖線で示す通信範囲２の範囲での通信が可能である。また、複合機１００は、ネットワーク３００に接続され、ネットワーク３００を介して他の複合機４００やファクシミリ装置、クライアント端末装置等に接続されている。この図１の例では、携帯端末装置１００において、ユーザは複合機１００に対する出力設定として、文書データ“○○○.pdf”のデータに対して、“両面”印刷の設定を“ｏｎ”、“集約”の設定を“ｏｆｆ”、“カラー”印刷の設定を“ｏｎ”にし、一方複合機１００のプリンタ機能の能力としては、“両面”印刷の設定を“ｏｎ”、“集約”の設定を“ｏｆｆ”、“カラー”印刷の設定を“ｏｆｆ”等の設定が可能であることを示している。そして、以降で説明する処印刷理によって、図１に示す文書データＰ１が、モノクロで、かつ集約されずに両面印刷された文書として出力されることを示している。
【００１６】
次に、複合機１００のハードウェア構成を説明する。図２は、複合機１００のハードウェア構成を示す説明図である。図２に示すように、複合機１００は、コントローラ５１０とプリンタ部５６０およびスキャナ部５７０とをＰＣＩ（Peripheral  Component  Interconnect）バスで接続した構成となる。コントローラ５１０は、デジタル複合機１００全体の制御と描画、通信、操作部５２０からの入力を制御するコントローラである。なお、プリンタ部５６０またはスキャナ部５７０には、誤差拡散やガンマ変換などの画像処理部分が含まれる。操作部５２０は、スキャナ部５７０で読み取られた原稿の原稿画像情報等をＬＣＤ（Liquid  Crystal  Display）に表示するとともに操作者からの入力をタッチパネルを介して受け付ける操作表示部５２０ａと、操作者からのキー入力を受け付けるキーボード部５２０ｂとを有している。
【００１７】
本実施の形態にかかるデジタル複合機１００は、操作部５２０のアプリケーション切り替えキーにより、ドキュメントボックス機能、コピー機能、プリンタ機能、およびファクシミリ機能を順次に切り替えて選択することが可能となっている。ドキュメントボックス機能の選択時にはドキュメントボックスモードとなり、コピー機能の選択時にはコピーモードとなり、プリンタ機能の選択時にはプリンタモードとなり、ファクシミリモードの選択時にはファクシミリモードとなる。
【００１８】
コントローラ５１０は、コンピュータの主要部であるＣＰＵ（Central  Processing  Unit）５１１と、システムメモリ（ＭＥＭ−Ｐ）５１２と、ノースブリッジ（ＮＢ）５１３と、サウスブリッジ（ＳＢ）５１４と、ＡＳＩＣ（Application  Specific  Integrated  Circuit）５１６と、記憶部であるローカルメモリ（ＭＥＭ−Ｃ）５１７と、記憶部であるハードディスクドライブ（ＨＤＤ）５１８とを有し、ＮＢ５１３とＡＳＩＣ５１６との間をＡＧＰ（Accelerated  Graphics  Port）バス５１５で接続した構成となる。また、ＭＥＭ−Ｐ５１２は、ＲＯＭ（Read  Only  Memory）５１２ａと、ＲＡＭ（Random  Access  Memory）５１２ｂとをさらに有する。
【００１９】
ＣＰＵ５１１は、デジタル複合機１００の全体制御を行うものであり、ＮＢ５１３、ＭＥＭ−Ｐ５１２およびＳＢ５１４からなるチップセットを有し、このチップセットを介して他の機器と接続される。
【００２０】
ＮＢ５１３は、ＣＰＵ５１１とＭＥＭ−Ｐ５１２、ＳＢ５１４、ＡＧＰバス５１５とを接続するためのブリッジであり、ＭＥＭ−Ｐ５１２に対する読み書きなどを制御するメモリコントローラと、ＰＣＩマスタおよびＡＧＰターゲットとを有する。
【００２１】
ＭＥＭ−Ｐ５１２は、プログラムやデータの格納用メモリ、プログラムやデータの展開用メモリ、プリンタの描画用メモリなどとして用いるシステムメモリであり、ＲＯＭ５１２ａとＲＡＭ５１２ｂとからなる。ＲＯＭ５１２ａは、ＣＰＵ５１１の動作を制御するプログラムやデータの格納用メモリとして用いる読み出し専用のメモリであり、ＲＡＭ５１２ｂは、プログラムやデータの展開用メモリ、プリンタの描画用メモリなどとして用いる書き込みおよび読み出し可能なメモリである。
【００２２】
ＳＢ５１４は、ＮＢ５１３とＰＣＩデバイス、周辺デバイスとを接続するためのブリッジである。このＳＢ５１４は、ＰＣＩバスを介してＮＢ５１３と接続されており、このＰＣＩバスには、ネットワークインタフェース（Ｉ／Ｆ）部５８０なども接続される。
【００２３】
ＡＳＩＣ５１６は、画像処理用のハードウェア要素を有する画像処理用途向けのＩＣ（Integrated  Circuit）であり、ＡＧＰバス５１５、ＰＣＩバス、ＨＤＤ５１８およびＭＥＭ−Ｃ５１７をそれぞれ接続するブリッジの役割を有する。このＡＳＩＣ５１６は、ＰＣＩターゲットおよびＡＧＰマスタと、ＡＳＩＣ５１６の中核をなすアービタ（ＡＲＢ）と、ＭＥＭ−Ｃ５１７を制御するメモリコントローラと、ハードウェアロジックなどにより画像データの回転などを行う複数のＤＭＡＣ（Direct  Memory  Access  Controller）と、プリンタ部５６０やスキャナ部５７０との間でＰＣＩバスを介したデータ転送を行うＰＣＩユニットとからなる。このＡＳＩＣ５１６には、ＰＣＩバスを介してＦＣＵ（Fax  Control  Unit）５３０、ＵＳＢ（Universal  Serial  Bus）５４０、ＩＥＥＥ１３９４（the  Institute  of  Electrical  and  Electronics  Engineers  1394）インタフェース５５０が接続される。
【００２４】
ＭＥＭ−Ｃ５１７は、コピー用画像バッファ、符号バッファとして用いるローカルメモリであり、ＨＤＤ５１８は、画像データの蓄積、ＣＰＵ５１１の動作を制御するプログラムの蓄積、フォントデータの蓄積、フォームの蓄積を行うためのストレージである。
【００２５】
ＡＧＰバス５１５は、グラフィック処理を高速化するために提案されたグラフィックスアクセラレータカード用のバスインタフェースであり、ＭＥＭ−Ｐ５１２に高スループットで直接アクセスすることにより、グラフィックスアクセラレータカードを高速にするものである。
【００２６】
なお、本実施の形態の複合機１００で実行されるプログラムは、ＲＯＭ等に予め組み込まれて提供される。本実施の形態の複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００２７】
さらに、本実施の形態の複合機１００で実行されるプログラムを、インターネット等のネットワークに接続されたコンピュータ上に格納し、ネットワーク経由でダウンロードさせることにより提供するように構成してもよい。また、本実施形態の複合機１００で実行されるプログラムをインターネット等のネットワーク経由で提供または配布するように構成してもよい。
【００２８】
本実施の形態の複合機１００で実行されるプログラムは、後述する各部（ＮＦＣ通信部１０１、ブルートゥース通信部１０２、認証部１０３、利用可否判定部１０４、データ処理部１０６、ファクシミリ送受信部１０８、制御部１１１など（図３参照））を含むモジュール構成となっており、実際のハードウェアとしてはＣＰＵ（プロセッサ）が上記ＲＯＭからプログラムを読み出して実行することにより上記各部が主記憶装置上にロードされ、ＮＦＣ通信部１０１、ブルートゥース通信部１０２、認証部１０３、利用可否判定部１０４、データ処理部１０６、ファクシミリ送受信部１０８、制御部１１１などが主記憶装置上に生成されるようになっている。
【００２９】
図３は、本実施の形態にかかる情報処理システム１０の構成を示すブロック図である。複合機１００は、ＮＦＣ通信部１０１と、ブルートゥース通信部１０２と、認証部１０３と、利用可否判定部１０４と、スキャナ部１０５と、データ処理部１０６と、プリンタ部１０７と、ファクシミリ送受信部１０８と、認証データ記憶部１０９と、設定情報記憶部１１０と、制御部１１１とを備えている。
【００３０】
制御部１１１は、ＮＦＣ通信部１０１と、ブルートゥース通信部１０２と、認証部１０３と、利用可否判定部１０４と、スキャナ部１０５と、データ処理部１０６と、プリンタ部１０７と、ファクシミリ送受信部１０８と、認証データ記憶部１０９と、設定情報記憶部１１０とをそれぞれ制御する。
【００３１】
ＮＦＣ通信部１０１は、短距離通信手段であるＮＦＣ（Near  Field  Communication）と呼ばれる非接触ＩＣ用無線通信規格により携帯端末装置２００と非接触で通信するものであり、具体的には、後述する携帯端末装置のＮＦＣ通信部２０１のタグからの情報を非接触で読み出す通信制御プログラムを内蔵したリーダ／ライタである。ＮＦＣ通信部１０１は、もう一つの通信手段であるブルートゥース通信部１０２と比較して近距離、すなわち通信距離が０〜１０数ｍｍの非接触無線通信によりデータを送受信する。また、ＮＦＣ通信部１０１によるＮＦＣ規格の非接触通信では、データ転送速度（１００〜４００ｋｂｐｓ）がブルートゥース通信部１０２よるＢｌｕｅｔｏｏｔｈ（登録商標）規格の無線通信のデータ転送速度（１〜２Ｍｂｐｓ）よりも遅いため、比較的小容量のデータの通信に用いる。なお、ＮＦＣ通信部１０１は、通信規格をＮＦＣに限る必要はなく、比較的近距離、すなわち後述するＢｌｕｅｔｏｏｔｈ規格の無線通信の通信範囲より狭い通信範囲での無線通信が可能であれば他の通信規格であってもよい。ＮＦＣ通信部１０１は、本発明にかかる第１の通信手段を構成する。
【００３２】
また、ＮＦＣ通信部１０１は、携帯端末装置２００がＮＦＣ通信部１０１の通信圏内に接近した場合に、携帯端末装置２００のＮＦＣ通信部２０１との通信を確立し、携帯端末装置２００から送信された認証ＩＤ、機能ＩＤ、通信設定情報、機能設定情報を受信する。ここで、認証ＩＤとは、携帯端末装置２００からの指示による複合機１００の利用を許可するか否かを判定するための情報（認証情報）である。なお、認証ＩＤは、携帯端末装置２００に割当てられた固有の情報や携帯端末装置２００を所持するユーザを識別する情報であってもよい。ユーザを識別する情報を用いる場合は、社員ＩＤ等の情報を用いてもよい。また、機能ＩＤとは、携帯端末装置２００が利用を要求する複合機１００の機能を示す情報（機能情報）であり、例えば、複合機１００のプリント機能を利用する場合は、機能ＩＤに“プリントＩＤ”を設定する。また、複合機１００のスキャナ機能を利用する場合は、機能ＩＤに“スキャナＩＤ”を設定する。
【００３３】
また、通信設定情報とは、ブルートゥース通信部１０２での無線通信を行う際に必要となる情報である。このように、データの送受信が容易なＮＦＣ通信によって携帯端末装置２００と複合機１００の間でブルートゥース通信の通信設定情報を受信することにより、ユーザは複合機１００に携帯端末装置２００を近づけるだけで特別な操作することなく、通信相手である複合機１００を特定でき、ブルートゥース通信が可能となるため、利便性が向上する。機能設定情報とは、機能に応じた処理内容を指示する設定情報である。例えば、機能ＩＤにプリントＩＤが設定されている場合は、機能設定情報として印刷設定情報である設定ＩＤ“両面印刷”に設定値“ｏｎ”または“ｏｆｆ”、設定ＩＤ“集約”に設定値“ｏｎ”または“ｏｆｆ”等を設定する。また、機能ＩＤにスキャンＩＤが設定されている場合は、機能設定情報としてスキャン設定情報である設定ＩＤ“解像度”に設定値“３００”ｄｐｓ等を設定する。
【００３４】
なお、機能設定情報は、複合機１００の状態情報や設定情報を含み、項目とその項目が有する値とをもつ。例えば、複合機１００の状態を表す項目として、各トレイの接続状態、各トレイの用紙残量、各トレイの用紙サイズ、ステープルユニットの接続状態、パンチユニットの接続状態などを含む。また、設定情報として、印刷部数、印刷カラー、印刷用紙トレイ、印刷用紙サイズ、印刷用紙種類、両面印刷の可否、印刷ソートの可否、印刷ステープルの可否、印刷パンチの可否、印刷集約、排紙トレイ、解像度、地紋印刷の可否などを含む。さらに、機能設定情報は、複合機１００のプリンタ記述言語（PostScript、PDF（Portable  Document  Format）、PCL（Printer  Control  Language），PJL（Printer  Job  Language）等）などが含まれてもよい。
【００３５】
認証部１０３は、携帯端末装置２００によって送信された認証ＩＤが複合機１００の利用を認められるＩＤであるか否かを判断する。具体的には、ＮＦＣ通信部１０１によって受信した認証ＩＤと認証データ記憶部１０９に格納されている認証ＩＤとが一致するか否かによって認証を行う。
【００３６】
利用可否判定部１０４は、携帯端末装置２００によって送信された機能ＩＤが複合機１００の利用を認められるＩＤであるか否かを判断する。具体的には、認証データ記憶部１０９からＮＦＣ通信部１０１によって受信した認証ＩＤおよび機能ＩＤに対応する利用許可情報を取得し、取得された利用許可情報に利用可が設定されているか否かで判断する。
【００３７】
ブルートゥース通信部１０２は、近距離通信手段であるBluetooth（Ｒ）規格により携帯端末装置２００と非接触で通信するものである。Bluetooth（Ｒ）規格の無線通信方式を採用したブルートゥース通信部１０２は、ＮＦＣ規格の非接触通信方式のＮＦＣ通信部１０１と比較して大容量かつ高速（１〜２Ｍｂｐｓ）でデータの送受信を行う。また、Bluetooth（Ｒ）規格の無線通信方式を採用したブルートゥース通信部１０２では、機器間の距離が１０ｍ以内であれば障害物があっても利用することができ、ＮＦＣ規格の通信方式の通信範囲に比べて通信範囲が長くなっている。
【００３８】
ブルートゥース通信部１０２は、具体的には、データの送受信を担うBluetooth（Ｒ）規格のトランシーバ等のBluetooth（Ｒ）  Ｉ／Ｆ（インタフェース）と、通信制御部とから構成される。Bluetooth（Ｒ）  Ｉ／Ｆは、接続先の携帯端末装置２００との間でデータの送受信を担うものである。通信制御部は、携帯端末装置２００との間でデータを送受信する前に、Bluetooth（Ｒ）  Ｉ／Ｆを介して通信設定情報を通信先と交換して、Bluetooth（R）規格の無線通信を確立する処理を行う通信制御プログラムである。この通信設定情報としては、Bluetooth（Ｒ）  Ｉ／Ｆに割り当てられた固有のアドレス情報を用いる。
【００３９】
なお、本実施の形態では、無線通信としてBluetooth（Ｒ）規格に準拠したブルートゥース通信部１０２を用いているが、これに限定されるものではなく、Bluetooth（Ｒ）規格に代えて他の規格、例えば、ＩＥＥＥ８０２．１１ａ／ＩＥＥＥ８０２．１１ｂ規格のＷｉＦｉ（Wireless  Fidelity）方式で無線通信を行うように構成することができる。この場合、データの送受信を担うＩＥＥＥ８０２．１１ａ／ＩＥＥＥ８０２．１１ｂ規格のネットワークボードとＩＥＥＥ８０２．１１ａ／ＩＥＥＥ８０２．１１ｂによる無線通信の確立やデータの送受信を制御する通信制御部（通信制御プログラム）でＷｉＦｉ通信部を構成すればよい。また、ＵＷＢ通信方式で機器間の距離が３ｍ以内なら有線のＵＳＢ２．０と同等の４８０Ｍｂｐｓでの通信が可能なWireless  USB規格で無線通信を行うように構成することができる。この場合には、データの送受信を担うWireless  USB規格のＵＳＢデバイスとＵＷＢ方式による無線通信の確立やデータの送受信を制御する通信制御部（通信制御プログラム）によりWireless  USB通信部を構成すればよい。
【００４０】
また、ブルートゥース通信部１０２は、ＮＦＣ通信によって携帯端末装置２００から通信設定情報を受信し、受信された通信設定情報によって携帯端末装置２００とのブルートゥース通信が確立した場合は、機能ＩＤに応じたデータを送受信する。なお、送受信されるデータは、画像データや文書データ、テキストデータ、その他様々な種類のデータのいずれであってもよい。
【００４１】
スキャナ部１０５は、ＣＣＤ（Charge  Coupled  Devices）等のような撮像素子で原稿を読み取る。なお、スキャナ部１０５には、ＡＤＦ（AutoDocument  Feeder）を搭載して、自動原稿送りをしてもよい。
【００４２】
データ処理部１０６は、ブルートゥース通信部１０２によって受信したデータまたはブルートゥース通信部１０２によって送信するデータ等に対してＮＦＣ通信部１０１によって受信した機能ＩＤ、機能設定条件に応じた処理を行う。例えば、機能ＩＤが“プリントＩＤ”の場合は、機能設定情報に応じてデータに対して濃度や色調整等の画像処理や片面／両面印刷等のレイアウト加工等を行う。また、機能ＩＤが“スキャナＩＤ”に場合は、スキャナ部１０５から読取ったデータに対して機能設定条件に従って画像処理やレイアウト加工等を行う。
【００４３】
プリンタ部１０７は、データ処理部１０６によって画像処理やレイアウト加工等されたデータを印刷する。
【００４４】
ファクシミリ送受信部１０８は、スキャナ部１０５によって読込まれたデータや携帯端末装置２００から送信されたデータを、ネットワーク３００を介して他の複合機４００やファクシミリ装置、クライアント端末などに送信する。また、ファクシミリ送受信部１０８は、他の複合機４００やファクシミリ装置、クライアント端末から送信されたデータを受信する。
【００４５】
認証データ記憶部１０９は、複合機１００または複合機１００の機能を利用できるか否かを判断するための認証データを格納する。図４は、認証データ記憶部１０９のデータ構成の一例を示す説明図である。認証データ記憶部１０９は、認証ＩＤと機能ＩＤごとの利用許可情報とを対応付けて記憶している。図４に示すように、認証ＩＤ“person1”は複合機１００のプリンタ機能とスキャナ機能およびコピー機能のいずれも利用可である。また、認証ＩＤ“person2”は複合機１００のスキャナ機能は利用可であるが、プリント機能およびコピー機能は利用不可である。
【００４６】
設定情報記憶部１１０は、図５に示すように複合機１００が保持する機能を機能設定情報として、機能ＩＤ、設定ＩＤ、候補値とを対応付けて記憶する。例えば、プリンタ機能の両面印刷の設定では“ｏｎ”または“ｏｆｆ”の設定が可能であるが、カラー印刷の設定では“ｏｆｆ”のみが設定可能である、すなわち白黒印刷のみ可能であることを示している。このように複合機１００は、一般に機種によって各機能の処理内容が異なるため、機能ＩＤごとの設定ＩＤとその設定ＩＤに対応して設定可能な候補値を格納しておく。
【００４７】
次に、携帯端末装置２００について説明する。携帯端末装置２００は、ＣＰＵ（プロセッサ），ＲＯＭ，ＲＡＭ等を備えたコンピュータ構成である。携帯端末装置２００で実行されるプログラムは、ＲＯＭ等に予め組み込まれて提供される。また、携帯端末装置２００で実行されるプログラムは、インストール可能な形式又は実行可能な形式のファイルで半導体メモリ等のコンピュータで読み取り可能な記録媒体に記録して提供するように構成してもよい。
【００４８】
さらに、携帯端末装置２００で実行されるプログラムを、インターネット等のネットワークに接続されたコンピュータ上に格納し、ネットワーク経由でダウンロードさせることにより提供するように構成してもよい。また、本実施形態の携帯端末装置２００で実行されるプログラムをインターネット等のネットワーク経由で提供または配布するように構成してもよい。
【００４９】
携帯端末装置２００で実行されるプログラムは、後述する各部（ＮＦＣ通信部２０１、ブルートゥース通信部２０２、印刷制御部２０６など（図３参照））を含むモジュール構成となっており、実際のハードウェアとしてはＣＰＵが上記ＲＯＭからプログラムを読み出して実行することにより上記各部が主記憶装置上にロードされ、ＮＦＣ通信部２０１、ブルートゥース通信部２０２、印刷制御部２０６などが主記憶装置上に生成されるようになっている。なお、携帯端末装置２００は、具体的には携帯電話や、ＰＤＡ（Personal  Digital  Assistants）、ノートパソコン、携帯型記憶媒体等である。
【００５０】
図３に示すように、携帯端末装置２００は、ＮＦＣ通信部２０１と、ブルートゥース通信部２０２と、データ記憶部２０３と、操作入力部２０４と、操作表示部２０５と、印刷制御部２０６とを備えている。
【００５１】
ＮＦＣ通信部２０１は、携帯端末装置２００が複合機１００のＮＦＣ通信部１０１の通信圏内に接近した場合に、複合機１００のＮＦＣ通信部１０１との通信を確立し、携帯端末装置２００から複合機１００を利用するための認証ＩＤや機能ＩＤ、ブルートゥース通信部２０２による通信を確立するための通信設定情報、機能設定情報を送信する。
【００５２】
具体的には、ＮＦＣ通信部２０１は、タグと、通信の確立やデータの送受信を制御する通信制御プログラムとを内蔵したＮＦＣチップであり、このタグに上記認証ＩＤや機能ＩＤが記憶されている。このＮＦＣ通信部２０１を複合機１００に近接すると、通信が確立され複合機１００のＮＦＣ通信部（リーダ／ライタ）１０１によってタグ内の情報が読み取られることにより送信されるようになっている。
【００５３】
なお、この場合には、タグと通信制御プログラムとを内蔵したＮＦＣチップを非接触式ＩＣカードに保存しておき、携帯端末装置２００の本体と独立して、認証ＩＤや機能ＩＤを複合機１００に送信する構成としてもよい。
【００５４】
なお、本実施の形態では、携帯端末装置２００のＮＦＣ通信部２０１に認証ＩＤや機能ＩＤを記憶したタグを設け、複合機１００のＮＦＣ通信部１０１をリーダ／ライタとして構成したが、これに限定されるものではない。携帯端末装置２００のＮＦＣ通信部２０１をリーダ／ライタとし、複合機１００のＮＦＣ通信部１０１をタグとして構成してもよい。この場合には、携帯端末装置２００のデータ記憶部２０３に認証ＩＤや機能ＩＤを記憶しておき、このＮＦＣ通信部２０１を複合機１００に近接させて通信を確立し、図示しない制御部によって、データ記憶部２０３の認証ＩＤや機能ＩＤをＮＦＣ通信部２０１に転送し、ＮＦＣ通信部２０１のリーダ／ライタによって、転送された認証ＩＤや機能ＩＤを複合機１００のＮＦＣ通信部（タグ）１０１に送信して書き込むように構成すればよい。
【００５５】
ブルートゥース通信部２０２は、複合機１００のブルートゥース通信部１０２との通信が確立した場合は、データ記憶部２０３に格納されているデータを複合機１００に送信する。また、ブルートゥース通信部２０２は、複合機１００の機能を利用して処理されたデータを受信する。
【００５６】
データ記憶部２０３は、複合機１００の機能を利用するためのデータを格納する。例えば、複合機１００のプリント機能を利用する場合には、通信設定情報と、機能設定情報としての印刷設定情報と画像データが格納されている。なお、機能設定情報は、例えば、“設定ＩＤ：設定値”のようなデータ形式で格納される。ここで、設定ＩＤとは、機能の処理内容を示す情報であり、例えばプリント機能の場合は設定ＩＤとして“両面印刷”等がある。また、設定値は、設定ＩＤに設定可能な候補値のなかからデータに対する処理として設定した値であり、設定ＩＤ“両面印刷”に対して設定値“ｏｎ”等が設定される。
【００５７】
操作入力部２０４は、プッシュボタン等の操作ボタンから構成され、ユーザからの機能ＩＤ、設定ＩＤ、候補値の入力を受付ける。例えば、ユーザは、データ記憶部２０３に格納された複合機１００を利用するための候補値を選択して指定する場合に、操作入力部２０４を押下することによって、“ｏｎ”または“ｏｆｆ”の指定をすることができる。このようにして受け付けられた複合機１００を利用するための制御データは、データ記憶部２０３に記憶されるとともに、印刷制御部２０６に伝達される。
【００５８】
印刷制御部２０６は、制御データをブルートゥース通信部２０２を介して複合機１００に送信する。複合機１００は、制御データに従って複合機１００に対する印刷開始、印刷切断、印刷データ生成、設定情報の取得、印刷状況の取得などの処理を行う。また、印刷制御部２０６は、複合機１００から受け取った制御データに対する応答データ、または設定情報を、操作表示部２０５に伝達する。
【００５９】
ここで、図６は印刷開始の制御データの一例を示す模式図である。図６に示す例は、機能設定情報を含む印刷開始の制御データをＸＭＬ（eXtensible  Markup  Language）で記述した例である。
【００６０】
印刷開始の要求は、requestPrintStartで行うことができる。具体的には、RequestPrintStartタグの入れ子に、印刷データのファイル名と印刷設定情報を記述する。ここで、ファイル名はfilenameタグに記述し、設定情報はmodeタグに記述する。modeタグは、さらに機能、設定項目ＩＤ、設定項目の値を表すfuncタグ、propertyidタグ、valueタグを有している。ここで、funcタグは、印刷やスキャンなどデータ処理の機能名を表し、Printは携帯端末から印刷装置へ印刷を行うときの機能名である。
【００６１】
propertyidタグは、設定項目のＩＤ番号をあらわす。例えば、上述した設定情報の印刷部数、印刷カラー、の順に１，２，…とあらかじめ番号を対応付けておく。valueタグは、設定項目の値であり、印刷部数の値や印刷カラー設定項目の設定値を数値で指定する。ここで、印刷カラー設定項目の値には、自動、カラー、白黒の値としてそれぞれ１，２，３があらかじめ対応付けられている。従って、図６に示すpuropetyidを２，valueを２で記述している箇所は、印刷カラーの設定項目に対してカラーの値を設定することになる。
【００６２】
なお、上記ではＸＭＬによる記述を示したが構造化された文書であればどのような形式でもよく、ＨＴＭＬ（Hyper  Text  Markup  Language）で記載してもよい。また、ＸＭＬの例では、設定項目などのキーワードをタグで記述しているが、制御用のキーワードを一意に定義してキーワードに対する値を抽出できるのであれば、プレーンテキストのように構造化されていない形式で記述してもかまわない。
【００６３】
操作表示部２０５は、液晶ディスプレイ等の画面から構成され、データ記憶部２０３に記憶された通信設定情報や機能設定情報を表示する。例えば、操作表示部２０５は、データ記憶部２０３に記憶された機能ＩＤに対応する設定ＩＤと候補値とを表示し、ユーザは、表示された設定ＩＤに対応する候補値のなかから、上述した操作入力部２０４を押下する。
【００６４】
図７は、操作表示部２０５で表示される表示画面の一例を示す説明図である。図７に示す表示画面は、印刷設定画面Ｘ１である。印刷設定画面Ｘ１は、図７の上段のように、同期アイコンＩを有しているとともに、２列のリストによって設定を選択できるようになっている。図７に示す例では、プリンタ機能の設定ＩＤとして“プリンタ設定”、“用紙サイズ”等が表示され、それぞれに候補値が表示されている。また、操作表示部２０５で選択された候補値すなわち設定値は、ハイライトされている。
【００６５】
次に、以上のように構成されている複合機１００と携帯端末装置２００とを備える情報処理システム１０において、携帯端末装置２００が複合機１００から印刷設定項目を取得する処理について説明する。図８は、印刷設定項目を取得する処理の流れを示すフローチャートである。
【００６６】
ユーザは、図７に示した印刷設定画面Ｘ１から同期アイコンＩを押して、複合機１００のプリンタの接続を要求する。すなわち、同期アイコンＩは、複合機１００で設定可能な設定項目と、携帯端末装置２００で選択可能な設定項目との同期を図る旨を宣言する操作を受け付ける同期宣言手段として機能する。このとき、図６に示したようなＸＭＬを接続制御データとして使用する場合には、RequestInfoタグを用いる。
【００６７】
印刷制御部２０６は、操作入力部２０４から伝達された接続制御データを受け付けると、図９に示すガイド画面Ｙ１を操作表示部２０５に表示する。図９に示すガイド画面Ｙ１によれば、「プリンタにタッチしてください。」と表示されていることにより、ユーザは携帯端末装置２００を複合機１００に触れさせることが分かる。ここに、メッセージ表示手段の機能が実行される。
【００６８】
その後、ユーザがガイド画面Ｙ１に従って携帯端末装置２００と複合機１００とを接近させると、携帯端末装置２００のＮＦＣ通信部２０１と複合機１００のＮＦＣ通信部１０１との間で通信が確立する。
【００６９】
携帯端末装置２００のＮＦＣ通信部２０１と複合機１００のＮＦＣ通信部１０１との間で通信が確立すると、携帯端末装置２００の印刷制御部２０６は、携帯端末装置２００のＮＦＣ通信部２０１と複合機１００のＮＦＣ通信部１０１とを介したＮＦＣ通信によって通信設定情報を含む接続制御データを複合機１００に送信する（ステップＳ１）。
【００７０】
複合機１００は、携帯端末装置２００から通信設定情報を含む接続制御データを受信し（ステップＳ２１）、受信された通信設定情報によって携帯端末装置２００とのブルートゥース通信が確立した場合（ステップＳ２２のＹｅｓ）、複合機１００は、ブルートゥース通信部１０２を介して携帯端末装置２００に接続制御応答データを送信する（ステップＳ２３）。
【００７１】
携帯端末装置２００の印刷制御部２０６は、ブルートゥース通信部２０２を介して複合機１００から接続制御応答データを受け取ると（ステップＳ２）、ブルートゥース通信部２０２を介して印刷設定要求データを複合機１００に対して送信する（ステップＳ３）。
【００７２】
複合機１００の制御部１１１は、ブルートゥース通信部１０２を介して印刷設定要求データを受信すると（ステップＳ２４）、設定情報記憶部１１０から機能設定情報を取得し（ステップＳ２５）、取得した機能設定情報を携帯端末装置２００へ応答として送信する（ステップＳ２６）。
【００７３】
携帯端末装置２００の印刷制御部２０６は、ブルートゥース通信部２０２を介して複合機１００から機能設定情報を受け取ると（ステップＳ４：設定項目取得手段）、図７に示した印刷設定画面Ｘ１の設定項目を更新する（ステップＳ５：設定画面表示手段）。ここで、更新した設定項目に設定不可能項目が有る場合には、図１０に示すように、設定不可能項目をグレーアウトにして表示する。
【００７４】
その後、携帯端末装置２００の印刷制御部２０６は、操作表示部２０５に表示された「閉じる」ボタンＢ１のユーザによる押下に応じて、ブルートゥース通信部２０２を介し、複合機１００に対して切断制御データを送信する（ステップＳ６）。
【００７５】
なお、印刷設定画面Ｘ１の設定項目を更新後、「閉じる」ボタンＢ１の押下を待つことなく、直ちに切断制御データの送信するようにしても良い。
【００７６】
複合機１００の制御部１１１は、ブルートゥース通信部１０２を介して切断制御データを受信すると（ステップＳ２７）、通信の切断処理を実行した後（ステップＳ２８）、切断制御応答データを携帯端末装置２００へ応答として送信する（ステップＳ２９）。これにより、必要なときだけ通信を行うことができ、セキュリティを確保することができる。
【００７７】
携帯端末装置２００の印刷制御部２０６は、ブルートゥース通信部２０２を介して複合機１００から切断制御応答データの受信後（ステップＳ７）、処理を終了する。
【００７８】
次に、携帯端末装置２００から複合機１００に対する印刷要求する処理について説明する。図１１は、印刷要求処理の流れを示すフローチャートである。
【００７９】
ユーザが、図７に示したような印刷設定画面Ｘ１で印刷設定を行い、「ファイルの選択」ボタンＢ２を押下すると、携帯端末装置２００の印刷制御部２０６は、図１２に示すような印刷ファイル選択画面Ｘ２に操作表示部２０５の表示を移行させる。
【００８０】
なお、ユーザが、図７に示したような印刷設定画面Ｘ１で印刷設定した値は、履歴情報としてデータ記憶部２０３に記憶される。ここに、履歴情報記憶手段の機能が実行される。この履歴情報は、機能設定情報を含み、記述形式はＸＭＬ（eXtensible  Markup  Language）のように構造化された形式で記述されてもよく、テキスト形式のように構造化されていない形式でもよい。履歴情報は、図７に示したように、印刷設定画面Ｘ１の下段に表示され、機能設定情報、および印刷場所が表示される。この履歴のいずれかを選択すると、データ記憶部２０３から履歴情報の設定を読み出し、設定項目が設定できるようになっている。このようにすることで、ユーザが以前に設定した機能設定情報を記憶することで、以前に設定した機能設定情報を再利用することができ、設定の利便性を高めることができる。
【００８１】
印刷ファイル選択画面Ｘ２は、図１２に示すように、上段に設けられた３階層構造のリストによってファイルを選択することができるようになっている。印刷ファイル選択画面Ｘ２の下段には、ファイルの設定状況を示すプレビューが表示されている。
【００８２】
ユーザは、図１２に示すような印刷ファイル選択画面Ｘ２の上段に設けられた３階層構造のリストから印刷するファイルを選択し、「ＯＫ」ボタンＢ３を押して印刷を要求する。
【００８３】
携帯端末装置２００の印刷制御部２０６は、印刷要求を受け付けると、図９に示すガイド画面Ｙ１を操作表示部２０５に表示する。図９に示すガイド画面Ｙ１によれば、「プリンタにタッチしてください。」と表示されていることにより、ユーザは携帯端末装置２００を複合機１００に触れさせることが分かる。
【００８４】
その後、ユーザがガイド画面Ｙ１に従って携帯端末装置２００と複合機１００とを接近させると、携帯端末装置２００のＮＦＣ通信部２０１と複合機１００のＮＦＣ通信部１０１との間で通信が確立する。
【００８５】
携帯端末装置２００のＮＦＣ通信部２０１と複合機１００のＮＦＣ通信部１０１との間で通信が確立すると、携帯端末装置２００の印刷制御部２０６は、携帯端末装置２００のＮＦＣ通信部２０１と複合機１００のＮＦＣ通信部１０１とを介したＮＦＣ通信によって通信設定情報を含む接続制御データを複合機１００に送信する（ステップＳ３１）。
【００８６】
複合機１００は、携帯端末装置２００から通信設定情報を含む接続制御データを受信し（ステップＳ５１）、受信された通信設定情報によって携帯端末装置２００とのブルートゥース通信が確立した場合（ステップＳ５２のＹｅｓ）、複合機１００は、ブルートゥース通信部１０２を介して携帯端末装置２００に接続制御応答データを送信する（ステップＳ５３）。
【００８７】
携帯端末装置２００の印刷制御部２０６は、ブルートゥース通信部２０２を介して複合機１００から接続制御応答データを受け取ると（ステップＳ３２）、ブルートゥース通信部２０２を介して複合機１００に印刷制御データ（例えば、図６参照）を送信する（ステップＳ３３：処理要求送信手段）。
【００８８】
複合機１００の制御部１１１は、ブルートゥース通信部１０２を介して印刷制御データを受信すると（ステップＳ５４）、データ処理部１０６およびプリンタ部１０７を制御して、画像処理やレイアウト加工等されたデータを印刷する（ステップＳ５５）。
【００８９】
複合機１００の制御部１１１は、ブルートゥース通信部１０２を介して印刷状態（印刷完了、印刷中、印刷エラー、印刷ジョブなし）を含む印刷状態応答データを送信する（ステップＳ５６）。
【００９０】
また、携帯端末装置２００の印刷制御部２０６は、ブルートゥース通信部２０２を介して複合機１００から印刷状態応答データを受け取り（ステップＳ３４：状態情報取得手段）、印刷制御応答データから印刷状態を判別するとともに、操作表示部２０５に印刷状態を示す画面を表示させる（ステップＳ３５：状態情報表示手段）。
【００９１】
例えば、印刷状態応答データの印刷状態が“印刷中”の場合、携帯端末装置２００の印刷制御部２０６は、操作表示部２０５に図１３に示すような印刷中画面Ｙ２を表示させる。
【００９２】
携帯端末装置２００の印刷制御部２０６は、印刷が完了していると判断した場合には（ステップＳ３６のＹｅｓ）、ブルートゥース通信部２０２を介して複合機１００に切断制御データを送信する（ステップＳ３７）。
【００９３】
一方、印刷エラーが発生していると判断した場合には、携帯端末装置２００の印刷制御部２０６は、操作表示部２０５に図１４に示すような印刷エラー画面Ｙ３を表示させるとともに（ステップＳ３５）、ユーザが印刷エラー画面Ｙ３に設けられた「再試行」ボタンＢ４を押下したことを条件として、携帯端末装置２００の印刷制御部２０６は、ブルートゥース通信部２０２を介して複合機１００に印刷制御データ（例えば、図６参照）を再度送信する（ステップＳ３６のＮｏ、ステップＳ３８のＹｅｓ、ステップＳ３９のＹｅｓ）。また、ユーザが印刷エラー画面Ｙ３に設けられた「再試行」ボタンＢ４を押下しない場合には（ステップＳ３６のＮｏ、ステップＳ３８のＹｅｓ、ステップＳ３９のＮｏ）、一定時間経過後、携帯端末装置２００の印刷制御部２０６は、ブルートゥース通信部２０２を介して複合機１００に切断制御データを送信する（ステップＳ３７）。
【００９４】
以上のように複合機１００の動作状態をユーザに通知することにより、ユーザの利便性を高めることができる。
【００９５】
複合機１００の制御部１１１は、ブルートゥース通信部１０２を介して切断制御データを受信すると（ステップＳ５７）、通信の切断処理を実行した後（ステップＳ５８）、切断制御応答データを携帯端末装置２００へ応答として送信する（ステップＳ５９）。これにより、必要なときだけ通信を行うことができ、セキュリティを確保することができる。
【００９６】
携帯端末装置２００の印刷制御部２０６は、ブルートゥース通信部２０２を介して複合機１００から切断制御応答データの受信後（ステップＳ４０）、処理を終了する。
【００９７】
このように本実施の形態によれば、情報処理装置である複合機１００における情報処理にかかる設定項目を要求する設定項目要求に応じて、複合機１００から設定項目を近距離通信手段（ブルートゥース通信）にて受信し、受信した設定項目の値を選択可能に表示する設定画面を表示することにより、無線通信接続された複合機１００で利用可能な設定項目の提示・設定を携帯端末装置２００で行うことができるので、ユーザの利便性を向上させることができる。
【００９８】
なお、本実施の形態では、携帯端末装置２００がＮＦＣ通信部２０１とブルートゥース通信部２０２の両方を備えている場合について説明したが、これに２つの携帯端末装置にＮＦＣ通信部２０１とブルートゥース通信部２０２のそれぞれを備え、２つの携帯端末装置からそれぞれ通信を確立し、各データを送受信してもよい。例えば、ＮＦＣ通信部２０１を備える携帯端末装置に認証ＩＤ、機能ＩＤ、通信設定情報、機能設定情報を記憶しておき、複合機１００のＮＦＣ通信部１０１に送信する。もう一方のブルートゥース通信部２０２を備える携帯端末装置は、先に送信された通信設定情報を用いてデータを複合機１００に送信することにより、複合機１００の機能を容易に利用できる。
【００９９】
また、本実施の形態においては、情報処理装置として複合機１００を適用したが、これに限るものではなく、プリンタ、デジタルカメラ、ＰＣ（Personal  Computer）など、無線通信によりデータを送受信する機能を有する装置に適用することができる。
【０１００】
［第２の実施の形態］
次に、本発明の第２の実施の形態を図１５ないし図１９に基づいて説明する。なお、前述した第１の実施の形態と同じ部分は同じ符号で示し説明も省略する。
【０１０１】
図１５は、本発明の第２の実施の形態にかかる情報処理システム１０の構成を示すブロック図である。図１５に示すように、本実施の形態は、第１の実施の形態とは、携帯端末装置２００が識別情報取得手段として機能する識別情報取得部２１０を備えている点で異なっている。
【０１０２】
識別情報取得部２１０は、複合機１００の機種情報、複合機１００に固有の機器ＩＤ、複合機１００の設置されている場所情報、携帯端末装置２００の物理的な位置情報、ユーザの嗜好情報（ユーザＩＤ、所属名、役職、および印刷頻度情報など）、課金に関する情報（ユーザ識別情報、課金金額情報など）など少なくとも一種類以上の識別情報を取得する。
【０１０３】
そして、印刷制御部２０６は、図１６に示すように、識別情報取得部２１０で取得した識別情報に対応付けて、ユーザが以前に設定した機能設定情報をデータ記憶部２０３に記憶する。
【０１０４】
ここで、複合機１００の機種情報に従って履歴を取得するための処理の流れを図１７のフローチャートを参照しつつ説明する。
【０１０５】
ユーザは、図７に示した印刷設定画面Ｘ１から同期アイコンＩを押して、複合機１００のプリンタの接続を要求する。このとき、図６に示したようなＸＭＬを接続制御データとして使用する場合には、RequestInfoタグを用いる。
【０１０６】
印刷制御部２０６は、操作入力部２０４から伝達された接続制御データを受け付けると、図９に示すガイド画面Ｙ１を操作表示部２０５に表示する。図９に示すガイド画面Ｙ１によれば、「プリンタにタッチしてください。」と表示されていることにより、ユーザは携帯端末装置２００を複合機１００に触れさせることが分かる。
【０１０７】
その後、ユーザがガイド画面Ｙ１に従って携帯端末装置２００と複合機１００とを接近させると、携帯端末装置２００のＮＦＣ通信部２０１と複合機１００のＮＦＣ通信部１０１との間で通信が確立する。
【０１０８】
携帯端末装置２００のＮＦＣ通信部２０１と複合機１００のＮＦＣ通信部１０１との間で通信が確立すると、携帯端末装置２００の印刷制御部２０６は、携帯端末装置２００のＮＦＣ通信部２０１と複合機１００のＮＦＣ通信部１０１とを介したＮＦＣ通信によって通信設定情報を含む接続制御データを複合機１００に送信する（ステップＳ１）。
【０１０９】
複合機１００は、携帯端末装置２００から通信設定情報を含む接続制御データを受信し（ステップＳ２１）、受信された通信設定情報によって携帯端末装置２００とのブルートゥース通信が確立した場合（ステップＳ２２のＹｅｓ）、複合機１００は、ブルートゥース通信部１０２を介して携帯端末装置２００に接続制御応答データを送信する（ステップＳ２３）。
【０１１０】
携帯端末装置２００の印刷制御部２０６は、ブルートゥース通信部２０２を介して複合機１００から接続制御応答データを受け取ると（ステップＳ２）、ブルートゥース通信部２０２を介して印刷設定要求データを複合機１００に対して送信する（ステップＳ３）。
【０１１１】
複合機１００の制御部１１１は、ブルートゥース通信部１０２を介して印刷設定要求データを受信すると（ステップＳ２４）、設定情報記憶部１１０から機能設定情報を取得し（ステップＳ２５）、取得した機能設定情報を携帯端末装置２００へ応答として送信する（ステップＳ２６）。
【０１１２】
携帯端末装置２００の印刷制御部２０６は、ブルートゥース通信部２０２を介して複合機１００から機能設定情報を受け取ると（ステップＳ４）、識別情報取得部２１０を制御して複合機１００の機種情報を取得する（ステップＳ６１）。そして、携帯端末装置２００の印刷制御部２０６は、識別情報取得部２１０で複合機１００の機種情報を取得すると、データ記憶部２０３に記憶された履歴情報から複合機１００の機種と同一の機種に関する機能設定情報の有無を判別する（ステップＳ６２）。
【０１１３】
携帯端末装置２００の印刷制御部２０６は、複合機１００の機種と同一の機種に関する機能設定情報がデータ記憶部２０３に記憶された履歴情報にあった場合には（ステップＳ６２のＹｅｓ）、その設定内容で（図１６参照）、印刷設定画面Ｘ１を更新して表示する（ステップＳ６３）。一方、携帯端末装置２００の印刷制御部２０６は、複合機１００の機種と同一の機種に関する機能設定情報がデータ記憶部２０３に記憶された履歴情報に無い場合には（ステップＳ６２のＮｏ）、取得した機能設定情報に従って印刷設定画面Ｘ１を更新する（ステップＳ６４）。
【０１１４】
その後、携帯端末装置２００の印刷制御部２０６は、操作表示部２０５に表示された「閉じる」ボタンＢ１のユーザによる押下に応じて、ブルートゥース通信部２０２を介し、複合機１００に対して切断制御データを送信する（ステップＳ６）。
【０１１５】
なお、印刷設定画面Ｘ１の設定項目を更新後、「閉じる」ボタンＢ１の押下を待つことなく、直ちに切断制御データの送信するようにしても良い。
【０１１６】
複合機１００の制御部１１１は、ブルートゥース通信部１０２を介して切断制御データを受信すると（ステップＳ２７）、通信の切断処理を実行した後（ステップＳ２８）、切断制御応答データを携帯端末装置２００へ応答として送信する（ステップＳ２９）。これにより、必要なときだけ通信を行うことができ、セキュリティを確保することができる。
【０１１７】
携帯端末装置２００の印刷制御部２０６は、ブルートゥース通信部２０２を介して複合機１００から切断制御応答データの受信後（ステップＳ７）、処理を終了する。
【０１１８】
次に、携帯端末装置２００の物理的な位置情報に従って履歴を取得する場合について説明する。なお、携帯端末装置２００の物理的な位置情報は、ＧＰＳ（Global  Positioning  System）、無線ＬＡＮのアクセスポイント等を利用して取得することができる。なお、複合機１００から機能設定情報と共に複合機１００に登録された物理的な位置情報を取得してもよい。
【０１１９】
図１７に示すように、携帯端末装置２００の印刷制御部２０６は、ブルートゥース通信部２０２を介して複合機１００から機能設定情報を受け取ると（ステップＳ４）、ＧＰＳである識別情報取得部２１０を制御して携帯端末装置２００の物理的な位置情報を取得する（ステップＳ６１）。そして、携帯端末装置２００の印刷制御部２０６は、識別情報取得部２１０で携帯端末装置２００の物理的な位置情報を取得すると、現在の携帯端末装置２００の物理的な位置情報が図１８に示すようなデータ記憶部２０３に記憶された履歴情報から同一の位置情報に関する機能設定情報の有無を判別する（ステップＳ６２）。
【０１２０】
携帯端末装置２００の印刷制御部２０６は、現在の携帯端末装置２００の物理的な位置情報がデータ記憶部２０３に記憶された履歴情報にあった場合には（ステップＳ６２のＹｅｓ）、その設定内容で（図１８参照）、印刷設定画面Ｘ１を更新して表示する（ステップＳ６３）。一方、携帯端末装置２００の印刷制御部２０６は、現在の携帯端末装置２００の物理的な位置情報がデータ記憶部２０３に記憶された履歴情報に無い場合には（ステップＳ６２のＮｏ）、取得した機能設定情報に従って印刷設定画面Ｘ１を更新する（ステップＳ６４）。
【０１２１】
このように本実施の形態によれば、識別情報に従って履歴情報をデータ記憶部２０３から取得し、設定項目および該設定項目の値を変更することができるので、利用状況に合わせて印刷設定が自動設定され、ユーザの利便性を高めることができる。例えば、ユーザが同一機種に設定した以前の設定値を即時に利用することができるので、利便性を高めることができる。また、識別情報として現在位置情報を適用した場合には、ユーザは、現在位置の接続先装置で処理可能か否かを即時に判断することができる。
【０１２２】
［第３の実施の形態］
次に、本発明の第３の実施の形態を図２０および図２１に基づいて説明する。なお、前述した第１の実施の形態または第２の実施の形態と同じ部分は同じ符号で示し説明も省略する。
【０１２３】
図２０は、本発明の第３の実施の形態にかかる情報処理システム１０における処理の流れを示すフローチャートである。図２０に示すように、本実施の形態においては、ユーザがデフォルトで設定した機能設定情報を優先するようにしたものである。
【０１２４】
より詳細には、図２０に示すように、携帯端末装置２００の印刷制御部２０６は、ユーザがデフォルトで設定した図２１に示すような機能設定情報がデータ記憶部２０３に記憶されていた場合には（ステップＳ７１のＹｅｓ）、その設定内容で（図２１参照）、印刷設定画面Ｘ１を更新して表示する（ステップＳ７２）。一方、ユーザがデフォルトで設定した機能設定情報がデータ記憶部２０３に記憶されておらず（ステップＳ７１のＮｏ）、複合機１００の機種と同一の機種に関する機能設定情報がデータ記憶部２０３に記憶された履歴情報にあった場合には（ステップＳ６２のＹｅｓ）、携帯端末装置２００の印刷制御部２０６は、その設定内容で（図１６参照）、印刷設定画面Ｘ１を更新して表示する（ステップＳ６３）。一方、ユーザがデフォルトで設定した機能設定情報がデータ記憶部２０３に記憶されておらず（ステップＳ７１のＮｏ）、複合機１００の機種と同一の機種に関する機能設定情報がデータ記憶部２０３に記憶された履歴情報に無い場合には（ステップＳ６２のＮｏ）、携帯端末装置２００の印刷制御部２０６は、取得した機能設定情報に従って印刷設定画面Ｘ１を更新する（ステップＳ６４）。なお、ユーザ設定で設定された項目が複合機１００で設定不可能な場合（ステープル機能が無い場合など）は、該当の機能については複合機１００で取得された設定をそのまま利用する。
【０１２５】
これにより、ユーザがデフォルトで設定した機能設定情報と複合機１００で実行可能な機能とのネゴシエーションによる操作機能の最適化などによる履歴情報を含むユーザ情報によるユーザインタフェースのカスタマイズ機能の充実化を図ることができる。
【０１２６】
［第４の実施の形態］
次に、本発明の第４の実施の形態を図２２および図２３に基づいて説明する。なお、前述した第１の実施の形態ないし第３の実施の形態と同じ部分は同じ符号で示し説明も省略する。
【０１２７】
図２２は本発明の第４の実施の形態にかかる情報処理システム１０の構成を示すブロック図、図２３は情報処理システム１０における処理の流れを示すフローチャートである。図２２に示すように、本実施の形態は、第２の実施の形態とは、携帯端末装置２００が位置取得部２２０を備えている点で異なっている。概略的には、本実施の形態の携帯端末装置２００は、現在の携帯端末装置２００の物理的な位置情報を位置取得部２２０により取得し、ユーザの所属する組織内であれば機能設定情報に含まれる「複製検知」を有効化し、ユーザの所属する組織外であれば「複製検知」を無効化するようにしたものである。ただし、図１９に示すようなユーザの所属する組織のデータが、あらかじめデータ記憶部２０３に記憶されており、判別の比較に用いられる。「複製検知」が有効である場合は、接続した複合機１００から印刷物が出力される。一方、「複製検知」が無効である場合は、接続した複合機１００から出力されない。
【０１２８】
図２３に示すように、複合機１００は、携帯端末装置２００から通信設定情報を含む接続制御データを受信し（ステップＳ５１）、受信された通信設定情報によって携帯端末装置２００とのブルートゥース通信が確立した場合（ステップＳ５２のＹｅｓ）、複合機１００は、ブルートゥース通信部１０２を介して携帯端末装置２００に接続制御応答データを送信する（ステップＳ５３）。
【０１２９】
携帯端末装置２００の印刷制御部２０６は、ブルートゥース通信部２０２を介して複合機１００から接続制御応答データを受け取ると（ステップＳ３２）、携帯端末装置２００は位置取得部２２０を通じて現在の位置を取得し（ステップＳ８１）、図１９のデータと照らし合わせ、該当する位置での出力可否を判断する（ステップＳ８２）。出力が無効な場合（ステップＳ８２のＮｏ）、携帯端末装置２００は印刷制御データを送信せずに処理を終了する。一方、出力が有効な場合（ステップＳ８２のＹｅｓ）、携帯端末装置２００はブルートゥース通信部２０２を介して複合機１００に印刷制御データ（例えば、図６参照）を送信する（ステップＳ３３：処理要求送信手段）。
【０１３０】
なお、有効／無効の設定に基づく処理は、上述に限ったものではなく、よく知られたコピーガードの機能を応用してもよい。例えば、「複製検知」が無効に設定されている場合は、印刷物が出力されるが、印刷画像に関わらず白紙を出力したり、「複製厳禁」の文字のみを表示したり、あるいは、全て黒で塗りつぶした画像を印刷してもよい。
【０１３１】
これにより、ユーザが印刷を行う位置に応じて、複製検知の可否を自動判別することができるので、ユーザの利便性を高めると共に、複製による情報流出の危険性を回避することができる。
【符号の説明】
【０１３２】
１００    情報処理装置
２００    携帯端末装置
Ｉ        同期宣言手段
【先行技術文献】
【特許文献】
【０１３３】
【特許文献１】特開２００４−２００８８７号公報
【図１】
2010098717.tif 000003
【図２】
2010098717.tif 000004
【図３】
2010098717.tif 000005
【図４】
2010098717.tif 000006
【図５】
2010098717.tif 000007
【図６】
2010098717.tif 000008
【図７】
2010098717.tif 000009
【図８】
2010098717.tif 000010
【図９】
2010098717.tif 000011
【図１０】
2010098717.tif 000012
【図１１】
2010098717.tif 000013
【図１２】
2010098717.tif 000014
【図１３】
2010098717.tif 000015
【図１４】
2010098717.tif 000016
【図１５】
2010098717.tif 000017
【図１６】
2010098717.tif 000018
【図１７】
2010098717.tif 000019
【図１８】
2010098717.tif 000020
【図１９】
2010098717.tif 000021
【図２０】
2010098717.tif 000022
【図２１】
2010098717.tif 000023
【図２２】
2010098717.tif 000024
【図２３】
2010098717.tif 000025